(57)【特許請求の範囲】
【請求項１】
プラグ電極を有する電球ランプ等の発光手段（３０）を交換可能に装着して照光に使用するダウンライト用器具であって、
当該器具の本体（１）に、前記プラグ電極をねじ込ませるソケット電極（３）と、前記発光手段の発光を反射するカップ形状のリフレクタ（２）とを取り付けて支持するとともに、前記ソケット電極の位置を変更する調整手段を設け、
前記リフレクタのカップ形状の周側には発光手段を通すための開口（２０）を設け、
その開口の外側に対向するように前記ソケット電極を設け、前記ソケット電極に前記発光手段を取り付けた場合には、その発光手段をリフレクタの開口面と平行に支持するように構成され、
前記調整手段は、前記開口と前記ソケット電極の間の距離を変更するものであることを特徴とする複数種のランプに対し反射効率の調整可能なダウンライト用器具。
【請求項２】
前記調整手段は、前記ソケット電極をブラケットに固定し、当該ブラケットあるいは前記本体あるいはそれら両者に長孔を設けてネジ固定により連係する構成としたことを特徴とする請求項１に記載の複数種のランプに対し反射効率の調整可能なダウンライト用器具。
【請求項３】
前記照明器具が、天井に設けた埋め込み孔部にはめ込んで取り付けするダウンライトであることを特徴とする請求項１または２に記載の複数種のランプに対し反射効率の調整可能なダウンライト用器具。
【請求項４】
請求項１から３のいずれか１項に記載のダウンライト用器具を用い、前記照明器具を天井等に取り付ける際に、まず、装着する発光手段の寸法に合わせて前記ソケット電極の位置を前記調整手段により調整し、
次に当該器具の本体を天井等の取り付け位置にセットして取り付け金具等をロックさせて固定することを特徴とする複数種のランプに対し反射効率の調整可能なダウンライト用器具の取り付け工事方法。
【請求項５】
請求項４に記載のダウンライト用器具の取り付け工事方法により取り付けを完了した前記本体を逆の手順でいったん取り外し、新たに装着する発光手段に合わせて前記ソケット電極の位置を前記調整手段により再調整し、この後、再度の取り付け作業を行うことを特徴とする複数種のランプに対し反射効率の調整可能なダウンライト用器具の取り付け工事方法。
【発明の詳細な説明】
【０００１】
【発明の属する技術分野】
本発明は、複数種のランプに対し反射効率の調整可能なダウンライト用器具及びその取り付け工事方法に関するもので、より具体的にはプラグ電極を有する電球ランプ等の発光手段を交換可能に装着して照光に使用する器具について、そのプラグ電極を有する発光手段の装着性の改良に関する。
【０００２】
【発明の背景】
照明器具として、ダウンライトと呼ばれる天井に埋め込むタイプのものが知られている。つまり、ダウンライト用器具では、天井に設けた埋め込み孔部にリフレクタを備えた器具の本体をはめ込んでバネ板等の取り付け金具により固定し、その本体内に有するソケット電極に電球ランプ等の発光手段を交換可能に装着する構成を採り、天井面からの突出をなくするようなフラット化を図っている。そして、発光手段から照射された光の一部は、直接下方に照射され、他の一部はリフレクタで反射されて下方に照射される。これにより、発光手段から四方に向けて出射された光が、下方に集光されて効率よく照射される。
【０００３】
なお、ソケット電極には、例えばＥ２６規格のソケット電極を備えることが多く、これは発光手段として一般的な電球ランプ（白熱電球）を装着するためであって、電球ランプはＥ２６規格のプラグ電極のものが広く普及していることによる。
【０００４】
ところで最近は、発光手段には白熱発光のため電力消費が大きい電球ランプを装着するのではなく、蛍光電球と呼ばれる蛍光管ランプに置き換えが進んでおり、蛍光作用による発光により電力消費が格段に少ないためエネルギーの省力化の面から好まれている。
【０００５】
しかし一方、蛍光電球にあっては、図１（ａ）〜（ｄ）に示すように、電球ランプとの置き換え互換性のためにプラグ電極は一般的なＥ２６規格等を採用しているものの、発光性能や装飾性等の要求から長さ，太さ等のサイズや形状などが相違する各種のものが製造されている。また、図示する蛍光管ランプの周囲を球状のガラスで囲繞して、外観が通常の電球と類似する形態にした蛍光電球もある。
【０００６】
このため、照明器具の側でもそれらサイズ，形状が相違する各種の蛍光ランプに対応したい要求があるが、各種それぞれについて専用に器具を製作したのではいかにもコストがかかり、対策が求められていた。
【０００７】
すなわち、仮に長さ等の寸法が異なる蛍光電球を同一の器具に取り付けた場合、蛍光電球の寸法が長くてその蛍光電球の一部がリフレクタの外に位置するような場合には、係るリフレクタの外の部分から出射された光は、照明として利用できない。また、蛍光電球の寸法が短くて、リフレクタとの相対位置関係が適切でないと、リフレクタでの反射光が、所望の光路を取ることができず、効率よく所定箇所に集光させることができず、反射効率（利用効率）が低下すると言う問題がある。もちろん、通常の白熱電球の場合も、寸法形状が異なる場合には同様の問題は生じる。
【０００８】
本発明は、上記した背景に鑑みてなされたもので、その目的とするところは、上記した問題を解決し、各種の蛍光ランプ等の発光手段を容易に装着，交換することができ、しかも、異なる発光手段であってもリフレクタと発光手段の相対位置関係を適切にし、反射効率を高め、少ないワット数で照度を高めることができ、汎用性が高くコスト面で有利性がある複数種のランプに対し反射効率の調整可能なダウンライト用器具及びその取り付け工事方法を提供することにある。
【０００９】
【課題を解決するための手段】
上記した目的を達成するために、本発明に係る複数種のランプに対し反射効率の調整可能なダウンライト用器具では、プラグ電極を有する電球ランプ等の発光手段（３０）を交換可能に装着して照光に使用するダウンライト用器具であって、当該器具の本体（１）に、前記プラグ電極をねじ込ませるソケット電極（３）と、前記発光手段の発光を反射するカップ形状のリフレクタ（２）とを取り付けて支持するとともに、前記ソケット電極の位置を変更する調整手段を設け、前記リフレクタのカップ形状の周側には発光手段を通すための開口（２０）を設け、その開口の外側に対向するように前記ソケット電極を設け、前記ソケット電極に前記発光手段を取り付けた場合には、その発光手段をリフレクタの開口面と平行に支持するように構成されるようにし、前記調整手段は、前記開口と前記ソケット電極の間の距離を変更するものとした。
【００１０】
また、好ましくは、前記調整手段は、前記ソケット電極をブラケットに固定し、当該ブラケットあるいは前記本体あるいはそれら両者に長孔を設けてネジ固定により連係する構成とすることである。そして、前記照明器具は、例えば天井に設けた埋め込み孔部にはめ込んで取り付けするダウンライトとしてよい。
【００１１】
一方、本発明に係るダウンライト用器具の取り付け工事方法では、上記の各ダウンライト用器具を用い、前記照明器具を天井等に取り付ける際にまず、装着する発光手段に合わせて前記ソケット電極の位置を前記調整手段により調整し、次に当該器具の本体を天井等の取り付け位置にセットして取り付け金具等をロックさせて固定する。なお、発光手段は、この後、装着するようにしてもよいし、予め装着しておいても良い。
【００１２】
また、上記した取り付け工事方法により取り付けを完了した前記本体を逆の手順でいったん取り外し、新たに装着する発光手段に合わせて前記ソケット電極の位置を前記調整手段により再調整し、この後、再度の取り付け作業を行うこともできる。
【００１３】
本発明では、ソケット電極の位置を変更する調整手段を設けているので、ソケット電極の位置を、本体側つまりリフレクタの光軸に対して遠近自在に移動させることができ、装着する発光手段の寸法形状等に応じて適宜に調整が行える。つまり、発光手段の全体をリフレクタ内の適切な位置に配置することができ、発光手段から出射された光を、リフレクタで効率よく反射させて照明光として利用することができ、少ないワット数でもって照射面を明るくすることができる。
【００１４】
【発明の実施の形態】
図２，図３は、本発明の第１の実施の形態を示している。本形態において、ダウンライト用器具は、天井に設けた埋め込み孔部にはめ込む本体１にリフレクタ２及びソケット電極３等を備え、蛍光電球３０等を交換可能に装着するようになっている。
【００１５】
本体１は、天井に設けた埋め込み孔部にはめ合うリムリング１０に、枠体１１とガイド板１２とを一体に固着し、略コ字形状の枠体１１は両端をリムリング１０に対立させてその径方向で連結する姿勢に、ガイド板１２は枠体１１の中央部から張り出してリムリング１０と平行となる姿勢に、それぞれ固着する。枠体１１の中央部にはナット部材１３を設け、後述するリフレクタ２を固定ネジ４により連係し、取り付ける構成にする。なお、図示の例では、ナット部材１３を枠体１１に固定するようにしているが、それとは逆に固定ネジ４を枠体１１に固定するとともに、ネジ部を下方に突出させ、フリーのナットで固定するようにしてももちろん良い。
【００１６】
また、枠体１１の上方所定位置には、位置決めピン（ネジ）１５を取り付けるとともに、そのネジ部を下方に突出させる。そして、この位置決めピン１５に対向するリフレクタ２の天面には位置決め用孔２ａを設けている。これにより、図３に示すように、リフレクタ２を装着した状態では、位置決めピン１５の先端が、位置決め用孔２ａ内に挿入され、回転が防止されるとともに、開口２０が所望の位置にくるようになる。
【００１７】
なお、この本体１では、発光手段たる蛍光電球３０等を、リフレクタ２の内側に同軸に支持するのではなく、蛍光電球３０等をリムリング１０の開口面と平行に支持する横置きタイプに構成するものである。これにより、天井内に埋め込まれる部分の高さを低く抑え得る薄型（低高さ）の構成を採っている。
【００１８】
枠体１１には、リムリング１０から立ち上がる部分に、長手に延びるガイド開口部１４を設け、図示しない取り付けバネ金具をガイド開口部１４に案内，装着し、これにより、天井に設けた埋め込み孔部の縁部と連係させて固定する。
リフレクタ２は略カップ形状に形成し、その略カップ形状の中央部に取り付け孔を設け、周側には蛍光電球３０を通すための開口２０を設ける。
【００１９】
ソケット電極３は、略ボックス形状に形成したブラケット５の底面に取り付け、底面の裏側に、給電線と接続するための端子盤６を設ける。
【００２０】
枠体１１の中央部から張り出すガイド板１２は、図４に示すように、両側を折り込み、その折り込み縁部の間にブラケット５の側面がはめ合う構成にする。つまり、ブラケット５がガイド板１２の折り込み縁部の間にはめ合い、これに沿って案内されるようになっている。そして、ガイド板１２には折り込み方向に沿って長孔１２０を設け、対面するブラケット５の側面には、長孔１２０と対応する位置にネジ孔５０を設ける。なお、ネジ孔５０は、長孔１２０の長手方向で位置をずらして複数設ける。
【００２１】
したがって、ガイド板１２に対するブラケット５の案内，はめ合いの連係により、ソケット電極３の位置を、枠体１１側つまりリフレクタ２の光軸に対して遠近自在に移動させることができ、図３に示すように、位置を調整したブラケット５は、固定ネジ７によりガイド板１２と連係させる。
【００２２】
なお、ここではガイド板１２に長孔１２０を設け、これと対応させてブラケット５側にネジ孔５０を設けて、両者の連係関係を変更することでブラケット５をガイド板１２に対して移動し、ソケット電極３の位置を変更する調整手段としているが、これに限定されるものではない。例えば、ガイド板１２にネジ孔を設けてブラケット５側に長孔を設けてもよく、あるいは両者に長孔を設けてボルト，ナットにより連係させてもよく、適宜に変更することができる。
【００２３】
図５から図８は、本発明にかかる取り付け工事の工程を順に示す側面図である。すなわち、ダウンライト用器具の取り付け作業は以下のように行う。まず図５に示すように、装着する蛍光電球３０に合わせてブラケット５を位置調整する。これには上記したように、固定ネジ７を緩め、あるいは取り外してガイド板１２の折り込み縁部の間でこれに沿ってブラケット５を移動し、装着する蛍光電球３０のサイズ，形状等に適合する適切な位置（反射効率が最適となる位置）でもって固定ネジ７を締め込んで固定する。
【００２４】
この調整が完了した後に、蛍光電球３０及びリフレクタ２をいったん取り外し、図６に示すように、天井に設けた埋め込み孔部８に本体１をはめ込み、当該孔部８の周縁にリムリング１０を当て合わせ、さらに図示しない取り付けバネ金具をガイド開口部１４にはめ込みセットし、埋め込み孔部８の縁部と連係させて固定する。
【００２５】
次に図７に示すように、リフレクタ２をリムリング１０内に当て合わせて固定ネジ４をナット部材１３にねじ込み固定する。このように、リフレクタ２を一旦外した状態で装着するのは、リフレクタ２が埋め込み孔部８の縁部と干渉して挿入できない，或いは挿入時にリフレクタ２がへこんだりするのを防止するためであり、係る問題がない場合には、リフレクタ２を装着した状態のまま作業することができる。同様の理由から、係る場合には、本実施の形態のようにリフレクタ２を着脱自在にする必要は必ずしもない。
【００２６】
さらに図８に示すように、蛍光電球３０を、リフレクタ２の開口２０にはめ入れて奥に位置するソケット電極３にねじ込みセットし、取り付け作業を完了する。また、本実施の形態では、リフレクタ２を取り外した状態のまま装着するようにしたため、蛍光電球３０も後工程で装着するようにしたが、リフレクタ２を装着したまま埋め込み孔部８内に挿入する場合には、蛍光電球３０も予め装着した状態のまま作業することもできる。
【００２７】
一方、蛍光電球３０を異なるサイズ，形状のものに変更する場合は、再度調整を行えばよい。つまり、取り付け作業と逆の手順で本体１を埋め込み孔部８から外して取り出し、図５に示すように、固定ネジ７を緩め、あるいは取り外してガイド板１２の折り込み縁部の間でこれに沿ってブラケット５を移動し、新たに装着する蛍光電球３０のサイズ，形状等に適合する適切な位置でもって固定ネジ７を締め込んで固定する。
【００２８】
このように、ガイド板１２に対するブラケット５の案内，はめ合いの連係により、ソケット電極３の位置を、枠体１１側つまりリフレクタ２の光軸に対して遠近自在に移動させることができ、適宜に調整が行えるので、各種の蛍光電球３０等を適正に装着できる。そしてこの調整は、固定ネジ７を緩めて長孔１２０，ネジ孔５０の連係関係を変更するだけなので容易であり、すなわちサイズ，形状が相違する各種の蛍光電球３０の交換が容易であって汎用性が高い。その結果、施工現場での急な仕様変更、つまり、例えば、予定していた蛍光電球３０が在庫切れのため搬入されなくなり、別の在庫品に仕様変更されても対応でき、簡単な調整を行うことにより汎用利用できるのでコスト面で有利性があり、施工工程を変更なく守れて工期管理にもメリットがある。
【００２９】
【発明の効果】
以上のように、本発明に係るダウンライト用器具では、ソケット電極の位置を変更する調整手段を設けるので、ソケット電極の位置を、本体側つまりリフレクタの光軸に対して遠近自在に移動させることができ、適宜に調整が行える。したがって、各種の蛍光電球等を適正に装着できる。つまり、発光手段から出射された光が直接或いはリフレクタで反射されて間接的に所定位置に照射させることができ、高反射効率を得ることができる。よって、サイズ，形状が相違する各種の蛍光電球の交換が行えて汎用性が高く、コスト面でも有利性がある。
【図面の簡単な説明】
【図１】蛍光電球の各種例を示す側面図である。
【図２】本発明の第１の実施の形態を示すダウンライト用器具の側面図である。
【図３】本発明の第１の実施の形態を示すダウンライト用器具の側面一部破断断面図である。
【図４】図２に示すダウンライト用器具の斜視図である。
【図５】本発明にかかる取り付け工事の工程を順に示す側面図（その１）である。
【図６】本発明にかかる取り付け工事の工程を順に示す側面図（その２）である。
【図７】本発明にかかる取り付け工事の工程を順に示す側面図（その３）である。
【図８】本発明にかかる取り付け工事の工程を順に示す側面図（その４）である。
【符号の説明】
１  本体
２  リフレクタ
３  ソケット電極
４，７  固定ネジ
５  ブラケット
６  端子盤
８  埋め込み孔部
１０  リムリング
１１  枠体
１２  ガイド板
１３  ナット部材
１４  ガイド開口部
２０  開口
３０  蛍光電球
５０  ネジ孔
１２０  長孔
【図１】
0004097938.tif 000002
【図２】
0004097938.tif 000003
【図３】
0004097938.tif 000004
【図４】
0004097938.tif 000005
【図５】
0004097938.tif 000006
【図６】
0004097938.tif 000007
【図７】
0004097938.tif 000008
【図８】
0004097938.tif 000009